(57)【要約】【課題】白金ナノ粒子の高い抗菌性・消臭性を利用した低価格な空気清浄機用多孔質フィルタを実現する。【解決手段】１リットルの水により溶解して成る白金ナノ粒子を含む白金ナノ粒子水溶液の原液を、更に所定の倍率（例えば１５００倍の倍率）までの範囲内の容量の水で希釈化された白金ナノ粒子水溶液を作成する。この希釈化された白金ナノ粒子水溶液に多孔質フィルタ３を予め含浸等しておき、その上で当該白金ナノ粒子水溶液を吸い取った多孔質フィルタ３を乾燥させる。シート状の多孔質フィルタ３は、その内部に、上下・左右にジグザグに折れ曲がった数μｍの空気の通路となる多数の貫通孔を有している。空気ＡＡの流れは、フィルタ３の正面に当たって、その中の各貫通孔の通路を通り抜ける。その通路内には、高い抗菌性・消臭性を有する多数の白金ナノ粒子が存在している。【選択図】図２
2014023814.tif 000002
【特許請求の範囲】
【請求項１】
吸入された空気の流れを受ける正面と、
前記正面に対向した背面と、
ジグザグに折れ曲がりながら前記正面から前記背面にまで連なった空気の通路を成すマイクロサイズの複数の貫通孔と
を備えることを特徴とするシート状の多孔質フィルタ。
【請求項２】
請求項１に記載の多孔質フィルタであって、
前記多孔質フィルタは、１リットルの水により溶解された、粒径がナノサイズの白金ナノ粒子を含む白金ナノ粒子水溶液の原液を所定の倍率までの範囲内の容量の水により希釈化して成る白金ナノ粒子水溶液を含んでおり、且つ、前記多孔質フィルタ内に含まれた前記白金ナノ粒子水溶液は乾燥されている
ことを特徴とする多孔質フィルタ。
【請求項３】
請求項２に記載の多孔質フィルタであって、
前記所定の倍率とは、４００倍、８００倍、又は１５００倍の内の何れかの値である
ことを特徴とする多孔質フィルタ。
【発明の詳細な説明】
【技術分野】
【０００１】
この発明は、極めて高い抗菌及び消臭の性能を呈する、白金ナノ粒子を含む水溶液（以下「白金ナノ粒子水溶液」という。）を利用した種々の製品(用途商品：例えば院内空気清浄機)に於いて適用される多孔質フィルタに関する。
【背景技術】
【０００２】
市場に於いて販売されている従来の空気清浄機のフィルタには、いわゆる「ＨＥＰＡフィルタ」と言われる「高性能エアフィルタ」が採用されている。
【先行技術文献】
【特許文献】
【０００３】
【特許文献１】米国特許第６２３９０６４号明細書
【発明の概要】
【発明が解決しようとする課題】
【０００４】
ＨＥＰＡフィルタは、一枚の素材をジグザグに折り曲げて成るフィルタであり、そのために、蛇腹の様なギザギザ状の表面を有している。そして、ＨＥＰＡフィルタは、この表面形状によって、当該ＨＥＰＡフィルタを通過する空気中に含まれる微細なホコリ等の粒子又は細菌等の有害な菌を捕集する。
【０００５】
しかしながら、ＨＥＰＡフィルタのギザギザな表面部分に捕集された細菌等は、当該ＨＥＰＡフィルタ内で、時間の経過と共に、繁殖又は増殖する。その結果、ＨＥＰＡフィルタ内に、細菌等の有害な菌又は悪臭の粒子が充満することになる。
【０００６】
その為に、業務用のＨＥＰＡフィルタを交換するときには、ＨＥＰＡフィルタ内には多数の細菌等の有害な菌が充満して生存しているので、完全防備体制を備えた専門の技術者が、担当者として、ＨＥＰＡフィルタを交換している。特に、院内感染の元になる細菌等の人体に有害な菌の発生に注意を払っている病院に於いては、ＨＥＰＡフィルタを用いた空気清浄機を取り扱う際に、多大な注意を払い且つ十分な管理体制を敷いている。
【０００７】
そこで、この様な多大なる注意・管理を払う必要性が無く、且つ、高い抗菌性及び消臭性を有する低コストの空気清浄機の実現性が要望されている。
【０００８】
＜本発明の主目的＞
本発明は、上記の様な現状認識を踏まえて成されたものである。
【０００９】
その主目的は、室内の空気中の悪臭等の臭いの源（粒子）を繁殖及び増殖させてしまうことなく、確実にハウスダスト・花粉等の嫌な臭いの源（粒子）を捕集して消臭すると共に、空気中に含まれる人体に有害な菌（例えば、バクテリア）に対する確実な抗菌性能をも奏する空気清浄機を、ＨＥＰＡフィルタを用いることなく、低コストで実現化することにある。
【００１０】
即ち、使用中に細菌等がその内部のＨＥＰＡフィルタ中に充満して増殖してしまう従来の空気清浄機に代わって、フィルタの交換時において、細菌等の有害な菌に対する厳格なる注意を払う必要性が無く、且つ、感染防止対策としての管理体制を整える必要性の無い、空気清浄機を低コストで提供する点が、本願発明の主目的である。そして、本発明は、その様な用途発明品（空気清浄機）の実現化に於いて、研究・開発された「多孔質フィルタ」の適用を提供する。
【課題を解決するための手段】
【００１１】
本発明の主題に係る多孔質フィルタは、吸入された空気の流れを受ける正面と、前記正面に対向した背面と、ジグザグに折れ曲がりながら前記正面から前記背面にまで連なった空気の通路を成すマイクロサイズの複数の貫通孔とを備えることを特徴とする。
【発明の効果】
【００１２】
本発明の主題によれば、高い抗菌・消臭性能をなおも持続する、実用化のレベルまでに低コスト化された白金ナノ粒子水溶液及び多孔質フィルタを適用することによって、既成の空気清浄機等の製品と比較して高い抗菌性能及び高い消臭性能を発揮し得る低コストの空気清浄機の実用化を図ることが出来、その際に「多孔質フィルタ」が威力を発揮する
【００１３】
以下、本発明の様々な具体化を、添付図面を基に、その効果・利点と共に、詳述する。
【図面の簡単な説明】
【００１４】
【図１】白金ナノ粒子水溶液の原液を水（精製水等。）で希釈する工程を模式的に示す図である。
【図２】実施の形態１に係る白金ナノ粒子水溶液を応用した空気清浄機の構成を模式的に示す図である。
【図３】図２に例示される空気清浄機に於ける多孔質フィルタの内部構造の一部を拡大して示す縦断面図である。
【発明を実施するための形態】
【００１５】
（実施の形態１）
【００１６】
＜白金ナノ粒子水溶液の原液を用いた、低価な白金ナノ粒子水溶液（「白金水溶液」とも言う。）の開発＞
【００１７】
粒径がナノサイズの白金の粒子（以下「白金ナノ粒子」という。）は、極めて高い殺傷能力の抗菌性・抗ウィルス性及び消臭性と言う性能を奏する貴金属の粒子である。この白金ナノ粒子の持つ抗菌性・抗ウィルス性等の性能を発揮し得る、白金ナノ粒子が水中に溶け込んだ低価格な白金ナノ粒子水溶液の実現化が希求されるところである。
【００１８】
１リットルの水（例えば精製水又は純水等。）により溶解された、上記の極めて高い抗菌・消臭性能を長時間の経過と共に持続して発揮し得る白金ナノ粒子を含んだ水溶液（白金ナノ粒子水溶液）は、取引市場より入手可能な商品である。この様な１リットルの容量の水で溶解された白金ナノ粒子水溶液がほぼ完璧な「抗菌性能」及び「消臭性能」を奏する点は、信頼し得る試験測定機関に於ける厳密な測定結果により、既に実証済みの公知事実である。以下では、上記の１リットルの精製水等で白金ナノ粒子の粉が溶解された「白金ナノ粒子水溶液」を、「白金ナノ粒子水溶液の原液」という。
【００１９】
上記の市場より購入出来る「白金ナノ粒子水溶液の原液」は、大腸菌等のバクテリア（細菌）に対する抗菌性を発揮すると共に、ノロウィルス又は鳥インフルエンザのウィルス又はサーズウィルス又はエイズのウィルス等の各種ウィルスに対する抗ウィルス性をも発揮することが、試験結果により実証されている。加えて、本白金ナノ粒子水溶液の原液は、アンモニア等に対する極めて高い消臭性をも発揮し得ることも、既述の通り、試験により実証されている。
【００２０】
しかしながら、この「白金ナノ粒子水溶液の原液」をそのまま利用して、その種々の用途発明たる「用途商品」を実現するには、白金は稀有な貴金属であり、そのため高価であるので、当該白金ナノ粒子水溶液の原液のコストが高くなるという難点がある。
【００２１】
そこで、本願の発明者は、図１に模式的に示す様に、１リットルの水（精製水又は純粋等）で白金ナノ粒子を溶解して成る白金ナノ粒子水溶液の原液ＯＰＬに、更に上記の水ＨＬを加えることで、原液ＯＰＬを希釈化して水溶液中に溶解している白金の濃度値を更に小さくすることで、ｘ（ｘ＞１）リットルの水で白金ナノ粒子を溶解して成る希釈化された白金ナノ粒子水溶液ＰＳＬを作成した。そして、原液ＯＰＬに対してｘ倍に希釈化された白金ナノ粒子水溶液ＰＳＬの抗菌性・消臭性が、ｘの値を如何なる値に設定すれば、時間の経過に拘らず原液ＯＰＬの希釈化後もなお保たれているか否かを試験してみた。
【００２２】
ｘの値が４００、即ち、原液ＯＰＬに対して４００倍の水により希釈化されて成る白金ナノ粒子水溶液ＰＳＬの抗菌性試験の結果を、下記の表１及び表２に示す。
【００２３】
【表１】
2014023814.tif 000003
【００２４】
【表２】
2014023814.tif 000004
【００２５】
当該抗菌性試験は、「一般財団法人ボーケン品質評価機構」に対して、本願発明者が上記の白金ナノ粒子水溶液ＰＳＬを提出して抗菌試験を委託したことにより行われた試験である。そして、その試験方法は、ＪＩＳ１９０２：２００８定量試験（菌液吸収法）を準用したものであり、生菌数の測定方法は混釈平板培養法に依っている。尚、以下に示す各抗菌試験に於ける試験方法及び生菌数の測定方法も、上記と同一である。表１及び表２に示される抗菌試験に於ける試験菌株は、院内感染の起炎菌として知られるＭＲＳＡ（メチシリン耐性黄色ブドウ球菌）である。
【００２６】
表１に示される通り、試験の比較対象の標準綿布には、ＭＲＳＡの菌が、その接種直後から１８時間経過時においては、増殖値２．６の数字が明らかにしている通り、増殖している。これに対して、表２は、原液ＯＰＬに対して４００倍に希釈化された白金ナノ粒子水溶液ＰＳＬから採取された０．４ｇの液量の白金ナノ粒子水溶液が試験対象の綿布に浸み込まされた後に、ＭＲＳＡの菌液０．２ｍｌが上記綿布に接種された場合の測定結果である。
【００２７】
表２の結果に示されている通り、ＭＲＳＡの接種直後から１８時間経過後の綿布に生息しているＭＲＳＡの菌数の常用対数値は、１．３以下であり、表１の場合と比較して各段に生菌数が減少していることが裏付けられている。ＪＩＳ規格で定められた判定基準によれば、表２に表示されている「静菌活性値」が、試験対象の液体試料に「抗菌性」の性質が有るか否かを判定する際のメルクマールであり、その「静菌活性値」が２．０以上あれば、「抗菌性有り」との合格の判定が下される。表２の試験に於いては、「静菌活性値」は、合格判定の閾値である２．０を遥かに上回る、５．７以上の値である。
【００２８】
従って、本願発明者が図１のｘ倍の値として採択した４００倍の希釈度の白金ナノ粒子水溶液ＰＳＬであっても、当該白金ナノ粒子水溶液ＰＳＬは、ＭＲＳＡの菌に対して十分に抗菌性を有していることが、当該試験結果より実証されている。
【００２９】
このことは、原液ＯＰＬに対して４００倍の希釈度で希釈された白金ナノ粒子水溶液ＰＳＬは、院内感染の起因菌として知られるＭＲＳＡを病院内に於いて消滅させてしまうための、実現化可能な低コストの抗菌剤として応用可能であることを、意味している。
【００３０】
又、本願発明者は、「一般財団法人ボーケン品質評価機構」に対して、上記の４００倍の希釈度で希釈された白金ナノ粒子水溶液ＰＳＬが「黄色ぶどう球菌」に対しても「抗菌性」という性能（抗菌性能）を有するか否かの試験を委託した。その試験結果が、以下の表３及び表４に示す結果である。尚、既知の通り、「黄色ぶどう球菌」は、表皮感染症又は食中毒、或いは、肺炎、髄膜炎、敗血症等の致死的となる様な感染症の起因菌である。
【００３１】
【表３】
2014023814.tif 000005
【００３２】
【表４】
2014023814.tif 000006
【００３３】
当該抗菌性試験に於いても、表１及び表２の抗菌性試験の場合と同様に、上記の白金ナノ粒子水溶液ＰＳＬから０．４ｇの白金ナノ粒子水溶液が採取され、０．２ｍｌの容量の「黄色ぶどう球菌」の菌液が試験対象の綿布に接種されている。
【００３４】
表３の結果と比較しつつ表４の試験結果を参照すれば、一目瞭然の結果として、４００倍の水で希釈化された白金ナノ粒子水溶液ＰＳＬが、「黄色ぶどう球菌」に対してもなお、「抗菌性」を有することが理解される。表４に於いて、表２の場合と同様に、「静菌活性値」は５．９以上であり、４００倍の水で希釈化された白金ナノ粒子水溶液ＰＳＬの「抗菌性」は、十分に合格であると判定される。
【００３５】
更に、本願発明者は、「一般財団法人ボーケン品質評価機構」に対して、上記の４００倍の希釈度で希釈された白金ナノ粒子水溶液ＰＳＬが「肺炎桿菌（クレブシエラ・ニューモニエ）」に対しても「抗菌性」を有するか否かの試験を委託した。その試験結果が、以下の表５及び表６に示す結果である。尚、既知の通り、「肺炎桿菌」は、呼吸器感染症、尿路感染症などを引き起こす弱毒菌である。
【００３６】
【表５】
2014023814.tif 000007
【００３７】
【表６】
2014023814.tif 000008
【００３８】
当該抗菌性試験に於いても、表１及び表２の抗菌性試験の場合と同様に、上記の白金ナノ粒子水溶液ＰＳＬから０．４ｇの白金ナノ粒子水溶液が採取され、０．２ｍｌの容量の「肺炎桿菌」の菌液が試験対象の綿布に接種されている。
【００３９】
表５の結果と比較しつつ表６の試験結果を参照すれば、１８時間経過後の生菌数の常用対数値は１．３以下と格段に減少しており、且つ、「静菌活性値」に関しては、６．４以上と、合格判定を成すには十分な高い値が検出されている。よって、上記の４００倍の希釈度で希釈された白金ナノ粒子水溶液ＰＳＬは、「肺炎桿菌」に対しても、十分な「抗菌性」を有していることが理解される。
【００４０】
尚、上記の４００倍の希釈度で希釈された白金ナノ粒子水溶液ＰＳＬは、アンモニア、酢酸、又は、イソ吉草酸等の悪臭の源となる粒子に対する相対的に高い消臭性能をも発揮し得る
【００４１】
上記の各試験結果によれば、水（精製水、純粋等。）による白金ナノ粒子水溶液の希釈度が４００倍の場合には、「静菌活性値」は合格判定の閾値２．０よりも十分高い値であり、４００倍の希釈度で希釈された白金ナノ粒子水溶液は依然として高い「抗菌性能」を有している。又、４００倍の水（精製水、純粋等）により希釈化された白金ナノ粒子水溶液は、十分に高い「消臭性能」をも呈する。
【００４２】
そうであるならば、１リットルの水で白金ナノ粒子が溶解された白金ナノ粒子水溶液の原液に対して４００倍に希釈化された白金ナノ粒子水溶液は、相対的に高い「抗菌性」を備えていると、言える。或いは、４００倍以内の範囲内の希釈度（例えば、２００倍、３００倍。）で希釈された白金ナノ粒子水溶液は、相対的に高い「抗菌性」を備えていると、思料される。又、４００倍以内の範囲内の希釈度で希釈された白金ナノ粒子水溶液は、「消臭性能」をも併せ有するとも、思料される。
【００４３】
ここで、下記の表７は、本発明者が開発・実用化した、白金ナノ粒子水溶液の原液ＯＰＬに対して４００倍の希釈度で希釈された白金ナノ粒子水溶液ＰＳＬと、各社の製品との、抗菌性能の比較結果を示す試験結果である。試験に用いられた菌株は、黄色ブドウ球菌であり、抗菌性試験の方法は、表１及び表２に於いて既述された試験方法と同一である。又、標準綿布に於ける生菌数の常用対数値は、試験菌株が接種された直後では４．４であり、１８時間経過後においては７．２であって、増殖値は２．８である。尚、当該比較試験も、「一般財団法人ボーケン品質評価機構」に委託して行われた。
【００４４】
【表７】
2014023814.tif 000009
【００４５】
表７において、試料（１）は、Ａ社により開発された、空気中の水分から生成される微粒子イオンであり、空気清浄機に於ける一つの除菌方法（空気中に微細なイオンを放出し、浮遊ウィルスを分解・除去する方法。）に用いるイオンに応用されている。又、試料（２）は、Ｂ社が開発したイオンであり、上記の試料（１）と同じく、空気清浄機に於ける上記除菌方法に用いるイオンに応用されている。又、試料（３）は、Ｃ社の消臭器用の製品である。又、試料（４）は、本願の発明者により開発された上記の希釈化された白金ナノ粒子水溶液中に浸された後に自然乾燥された生地である。
【００４６】
表７に示す通り、試料（１）、（２）及び（３）の各々の「静菌活性値」の値は、０．３、０．３，０．２と、軒並み低い値であるのに対して、試料（４）の「静菌活性値」は５．０であって、他の試料（１）、（２）及び（３）の値と比較して、突出した高い値となっている。
【００４７】
この比較試験結果から明白な通り、原液ＯＰＬに対して４００倍の希釈度で希釈された白金ナノ粒子水溶液ＰＳＬは、極めて高い抗菌性能を備えていることが理解される。しかも、白金ナノ粒子水溶液ＰＳＬは、単に４００倍の容量の水で以って、１リットルの水でナノサイズの粒子である白金を溶解して成る原液ＯＰＬを希釈化して成る水溶液なので、原液ＯＰＬと同程度の抗菌性能を維持したままで、そのコストを削減化出来る点は、実用化の観点から見れば、極めて大きい効果・有用性である。
【００４８】
尚、上記の各表２，４，６，７で示された「殺菌活性値」及び「静菌活性値」は、以下の式で以って算出される。即ち、「殺菌活性値」＝Ｍａ−Ｍｃ、「静菌活性値」＝（Ｍｂ−Ｍａ）−（Ｍｃ−Ｍｏ）である。ここで、Ｍａは、標準綿布への試験菌株の接種直後に於ける生菌数の常用対数値であり、Ｍｂは、標準綿布への試験菌株の接種直後から１８時間が経過した後の生菌数の常用対数値である。これに対して、Ｍｏは、試験試料への試験菌株の接種直後に於ける生菌数の常用対数値であり、Ｍｃは、試験試料への試験菌株の接種直後から１８時間が経過した後の生菌数の常用対数値である。この点は、後述する表１０に於いても同様である。
【００４９】
更に、本願発明者は、一層の白金ナノ粒子水溶液の低コスト化を図るべく、ｘの値が４００の２倍である８００倍に、即ち、原液ＯＰＬに対して８００倍の水により希釈化されて成る白金ナノ粒子水溶液ＰＳＬを作成して、その消息性試験を行った。当該消息性試験も、「一般財団法人ボーケン品質評価機構」に委託して行われた。その試験結果を、以下の表８に示す。
【００５０】
【表８】
2014023814.tif 000010
【００５１】
本消息性能試験に於ける試験方法及び条件は、（社）繊維評価技術協議会の消息加工繊維製品認証基準を準用したものである。本消息性能試験に於けるガス初期濃度に関しては、アンモニアが１０００ｐｐｍ（１０ｍｌ）、酢酸が５０ｐｐｍ（１０ｍｌ）、及び、イソ吉草酸が約３８ｐｐｍ（１０ｍｌ）である。そして、測定時間は、試験開始時から２時間経過後である。尚、消臭効果減少率が７５％以上の結果が、合格結果である。
【００５２】
表８を参酌すると、アンモニア、酢酸及びイソ吉草酸の各々の減少率は、それぞれ、８７％、９８％、及び、９９％以上との結果が報告されている。斯かる結果より、原液ＯＰＬに対して８００倍の水により希釈化されて成る白金ナノ粒子水溶液ＰＳＬは、原液ＯＰＬに引けを取らない十分なる「消息性能」をなおも維持していることが、確認された。
【００５３】
更に、本願発明者は、より一層の白金ナノ粒子水溶液の低コスト化を図るべく、ｘの値が１５００倍に、即ち、原液ＯＰＬに対して１５００倍の水により希釈化されて成る白金ナノ粒子水溶液ＰＳＬを作成して、その抗菌性能試験を行った。当該抗菌性能試験も、「一般財団法人ボーケン品質評価機構」に委託して行われた。その試験結果を、以下の表９及び表１０に示す。
【００５４】
【表９】
2014023814.tif 000011
【００５５】
【表１０】
2014023814.tif 000012
【００５６】
当該抗菌性能試験は、原液ＯＰＬに対して１５００倍に希釈化して成る白金ナノ粒子水溶液ＰＳＬが、「黄色ブドウ球菌」に対して「抗菌性」を奏するか否かの試験であり、表１及び表２の抗菌性試験の場合と同様に、上記の白金ナノ粒子水溶液ＰＳＬから０．４ｇの白金ナノ粒子水溶液が採取され、０．２ｍｌの容量の「黄色ブドウ球菌」の菌液が試験対象の綿布に接種されている。表８の結果と比較しつつ表９の試験結果を参照すれば、１８時間経過後の生菌数の常用対数値は１．３以下であって、表２の場合と同様に格段に減少しており、且つ、「静菌活性値」は、５．９以上の結果値であり、この値は、「抗菌性有り」の合格判定を成すには十分に高い値である。よって、上記の希釈度１５００倍にまで希釈された白金ナノ粒子水溶液ＰＳＬは、「黄色ブドウ球菌」に対しても、十分な「抗菌性能」を依然として有していることが理解される。
【００５７】
更に、本願発明者は、原液ＯＰＬに対して１５００倍の水により希釈化されて成る白金ナノ粒子水溶液ＰＳＬの消息性試験をも行った。当該消息性試験も、「一般財団法人ボーケン品質評価機構」に委託して行われた。その試験結果を、以下の表１１に示す。
【００５８】
【表１１】
2014023814.tif 000013
【００５９】
本消息性能試験に於ける試験方法及び条件は、（社）繊維評価技術協議会の消息加工繊維製品認証基準を準用したものである。本消息性能試験に於けるガス初期濃度に関しては、アンモニアが１０００ｐｐｍ（１０ｍｌ）、酢酸が５０ｐｐｍ（１０ｍｌ）、及び、イソ吉草酸が約３８ｐｐｍ（１０ｍｌ）である。そして、測定時間は、試験開始時から２時間経過後である。８００倍の希釈度の場合と同様に、消臭効果減少率が７５％以上の結果が、合格結果である。
【００６０】
表１１を参酌すると、アンモニア、酢酸及びイソ吉草酸の各々の減少率は、それぞれ、８８％、９９％以上、及び、９９％以上との結果が報告されている。斯かる結果より、原液ＯＰＬに対して１５００倍の容量の水により希釈化されて成る白金ナノ粒子水溶液ＰＳＬもまた、原液ＯＰＬに引けを取らない十分なる「消息性能」をなおも維持していることが、確認された。
【００６１】
上記の各試験結果によれば、水（精製水、純粋、減菌済みイオン交換水等）による白金ナノ粒子水溶液の希釈度が４００倍或いは１５００倍の場合には、「静菌活性値」は合格判定の閾値２．０よりも十分高い値であり、４００倍或いは１５００倍の希釈度で希釈された白金ナノ粒子水溶液は依然として高い「抗菌性能」を有している。又、８００倍或いは１５００倍の水（精製水、純粋、減菌済みイオン交換水等）により希釈化された白金ナノ粒子水溶液は、十分に高い「消息性能」を呈している。そうであるならば、１リットルの水で白金ナノ粒子が溶解された白金ナノ粒子水溶液の原液に対して４００倍、又は８００倍、又は１５００倍に希釈化された白金ナノ粒子水溶液は、共に相対的に高い「抗菌性」及び「消息性能」を備えていると、言える。或いは、４００倍及び１５００倍の希釈度で希釈された白金ナノ粒子水溶液が何れも高い「抗菌性能」を有していることが確認されたことから、１５００倍までの範囲内の希釈度で希釈された白金ナノ粒子水溶液は、相対的に高い「抗菌性」を備えていると、思料される。又、同様な推測から、１５００倍までの範囲内の希釈度で希釈された白金ナノ粒子水溶液は、相対的に高い「消息性能」をも併せ有するとも、思料される。
【００６２】
以上より、本願発明者は、抗菌性・消臭性・抗ウィルス性を備えた「白金ナノ粒子の水溶液の原液」から、その原液の各種の性能をなおも保持したままで実用性のレベルから見て各段に低コスト化可能な希釈化された白金ナノ粒子水溶液を開発・実現化することが出来たのである。
【００６３】
（実施の形態２）
＜多孔質フィルタ及び白金ナノ粒子水溶液の用途発明：空気清浄機＞
【００６４】
図２は、原液ＯＰＬに対して４００倍又は８００倍又は１５００倍の何れかの希釈度で、又は、１５００倍までの範囲内の希釈度で、水（精製水等）により希釈された白金ナノ粒子水溶液ＰＳＬを空気清浄機のフィルタに応用した場合の空気清浄機１に於ける中核部分を模式的に示す図である。その核となる構成要素は、吸入された空気が通り抜けるフィルタ３の構成にある。
【００６５】
図２に於いて、吸入ファン２は、空気清浄機１の外部の空気、即ち、室内の空気ＡＩを当該空気清浄機１内に吸入する。吸入された空気ＡＡは、止め部３ＳＡ，３ＳＢによる両端部の支持によって、それ自体が弛まずに張られた、従来のＨＥＰＡフィルタに対して相対的に薄いシート状又は布状の多孔質フィルムから成るフィルタ３を通り抜ける。このフィルタ３を成すシート状の多孔質フィルタの厚みは、例えば０．５ｍｍである。フィルタ３を通り抜けた空気ＡＢは、フィルタ３によって消臭され且つ抗菌作用を受けて清浄化された空気となって、吹出口４から、空気清浄機１の外部（室内空間）へ送出される。室内空気ＡＩ又は吸入された空気ＡＡ中に含まれる動物の臭いの分子、杉或いはヒノキ等の花粉、ダニ等の粉塵、チリ・埃等のハウスダスト等は、後述する特異な空気の通路の構造を備える多孔質フィルタによって捉えられて外部へ排出されることは無く、その結果、フィルタ３内を通り抜ける空気ＡＡの嫌な臭いは、消臭される。
【００６６】
空気清浄機１の中核部であるフィルタ３を成すシート状の多孔質フィルタの両端は、止め部３ＳＡ，３ＳＢによって支持されている。この取付け及び支持の前段階に於いて、予め、シート状の多孔質フィルタは、実施の形態１に係る白金ナノ粒子水溶液ＰＳＬ（原液ＯＰＬに対して４００倍又は８００倍又は１５００倍の何れかの希釈度で、又は、１５００倍までの範囲内の希釈度で以って、水により希釈化された白金ナノ粒子水溶液。図１参照。）中に含浸される。或いは、シート状の多孔質フィルタの全面は、当該白金ナノ粒子水溶液ＰＳＬが入っているスプレーによって白金ナノ粒子水溶液ＰＳＬを均一に吹き付けられる。この処理により、相対的に薄いシート状のフィルタ３は、全体的に、白金ナノ粒子水溶液ＰＳＬを含むことになる。そして、シート状のフィルタ３の全体に浸み込んだ白金ナノ粒子水溶液ＰＳＬは自然に又は強制的に乾燥される。この乾燥処理を通じて、極めて高い抗菌性能・消臭性能を備えたナノサイズの白金粒子は、シート状のフィルタ３の内部全体に亘って分散されて存在する。
【００６７】
しかも、薄いシート状のフィルタ３は、従来の空気清浄機で用いられるＨＥＰＡフィルタとは異なり、多孔質のフィルタである。このシート状のフィルタ３の特異な内部構成は、図２中に丸印で囲んで成る極所部分３Ｐの拡大縦断面図である図３に、一例として示されている。即ち、フィルタ３は、フィルタ３の内部を連続的に左右方向又は上下方向（図３の例示では、便宜上、上下方向のジグザグ構造のみが示されている。）にジグザグ状に折れ曲がりながらフィルタ３を貫通する複雑な形状の空気通気路として、多数の貫通孔３ＰＨを有している。詳述すれば、シート状の多孔質フィルタ３は、（１）吸入ファン２に対向して吸入された空気の流れを受ける正面３ＦＳと、（２）正面３ＦＳに対向した背面３ＢＳと、（３）連続的に左右又は上下の方向にジグザグ状に折れ曲がりながら複雑な空気の通路ないしは経路を成す、正面３ＦＳから背面３ＢＳにまで連なった複数（多数）の貫通孔３ＰＨとを備える。この貫通孔３ＰＨのサイズは、数μｍである。そして、各貫通孔３ＰＨ内には、当該フィルタ３全体に亘ってその内部に浸み込んだ白金ナノ粒子水溶液ＰＳＬが自然乾燥等により乾燥されることによって、サイズが数ｎｍの多数の白金ナノ粒子が散在している。
【００６８】
この様な構造を有するシート状の多孔質フィルタ３は、当該フィルタ３内を通り抜けようとする空気ＡＡに対して、次の様な消臭・抗菌作用を呈する。即ち、吸入ファン６の吸入作用によって、ある加速度を与えられてフィルタ３側へ向けて押し出された空気ＡＡの流れは、フィルタ３の各貫通孔３ＰＨ内に流れ込んでいく。各貫通孔３ＰＨ内に流れ込んだ空気ＡＡの流れは、当該貫通孔３ＰＨが有する複雑に折れ曲がった連続的なジグザグ構造を通り抜けていく。その空気の流れの通り抜けの過程において、空気ＡＡ中に含まれる上記の花粉、粉塵及びハウスダスト等の嫌な臭いの源の粒子は、次から次へとジグザグ構造の通路壁に付着していき、その複雑に連続的に折れ曲がったジグザグ構造の故に、当該通路壁に取り込まれた上記の嫌な臭いの源の粒子は、ジグザグ構造の通路より分離して当該貫通孔３ＰＨの出口側に向けて飛び出していくことが出来なくなる。しかも、各貫通孔３ＰＨの通路内には、既述の多数の白金ナノ粒子が存在している。このため、ジグザグ構造の通路内を空気ＡＡが流れていくことにより、当該空気ＡＡ中に含まれている人間にとって有害な菌（例えばバクテリア（細菌））は、実施の形態１において記載した試験結果から実証されている通り、白金ナノ粒子の持つ抗菌性能の作用により、殺菌されてしまう。その結果、シート状の多孔質フィルタ３の各貫通孔３ＰＨの背面３ＢＳ側の出口から流れ出てくる空気ＡＢは、上記の嫌な臭いの源の粒子を殆ど含まず、且つ、白金ナノ粒子が有する極めて高い値の抗菌性能により有害菌が悉く殺されているので、十分に消臭され且つ殺菌された清浄な空気となっている。この清浄な空気ＡＢは、吹出口４より室内へ吹き出される。
【００６９】
本空気清浄機１に於いては、同機１内に吸入された空気ＡＡの流れは、多孔質フィルタ３の各貫通孔３ＰＨが有する連続的ジグザグ構造の通路を必ず通り抜けないと、多孔質フィルタ３の背面３ＢＳから吹出て排出されることがない。そのため、空気中の悪臭の源の粒子又は細菌等の有害な菌がフィルタにより捉えられることなく、当該フィルタを、吸入された室内空間の空気が通り抜けて出てくるという事態は発生しない。従って、悪臭の粒子及び／又は細菌等の有害な菌を含む空気が、多孔質フィルタ３の内部を通り抜けることで、悪臭の源の粒子及び細菌等の有害な菌が消臭・抗菌される結果、細菌等を含まない清浄化された空気が、本空気清浄機１より、室内の空間に放出される。
【００７０】
この作用・効果に鑑みれば、本空気清浄機１は、例えば、院内又は屋内での細菌等の有害菌の感染の発生を防止し得る空気清浄機としての用途（院内又は屋内での感染対策用品。）を備えることになる。
【００７１】
しかも、本空気清浄機１においては、従来の空気清浄機の様なＨＥＰＡフィルタをフィルタとして用いていないので、高い抗菌性能を備えた多孔質フィルタ３の交換の際に、細菌等の人体に有害な菌の感染防止対策を別途に採る必要性が無い。感染防止のための完全防備を備えた専門の技術者・作業者が、空気清浄機用のフィルタの交換を行う必要性がなくなるのである。
【００７２】
この様な高い消臭性能及び抗菌性能を同時に併せ備える本実施の形態に係る空気清浄機１は、実施の形態１に於いて記載した希釈化された低コストの白金ナノ粒子水溶液ＰＳＬの応用によって、低コスト・高パフォーマンスの細菌感染対策用空気清浄機として実現される。
【００７３】
又、既述の通り、フィルタ３が極めて薄いシート状の物であるので、吸入ファン２によってフィルタ３へ向けて送り出す空気の流れＡＡの加速度を従来品と比較して高める必要性は無いので、その分、吸入ファン３が送り出す風量を比較的に減らすことが出来、その結果、消費電力を減少させて、地球の環境に優しい省エネ効果も同時に得られる。
【００７４】
（変形例）
中高層ビルにおいては、その屋上に配置された空調機に新鮮な空気を送って換気するために、地下室に設けられたファンで空気を吸い込んでダストを通じて空気を送っている。しかし、比較的長期の使用により、塵等の埃がダスト内に吸引・残存して空気の汚れをもたらす。或いは、人間の身体にとって有害な細菌がダスト内に吸引されて増殖する場合には、そのために、ファンに吸引される空気の汚染が深刻な問題となる。
【００７５】
そこで、ファンの後段部側に、図３に示した構造を備えた多孔質フィルタを備えた図２に例示した空気清浄機を配備する。この応用により、上記の問題点は、一挙に解決される。
【００７６】
（付記）
本発明の実施の形態に於いては、白金ナノ粒子が水中に溶解されてなる白金ナノ粒子水溶液の原液を水で希釈化して成る白金ナノ粒子水溶液を、空気清浄機の上記特異な形状を有する多孔質フィルタに適用する清浄装置の一例を記載した。
【００７７】
しかしながら、白金に代わって、金、銀、或いはパラジウム等の金属のナノ粒子の原液を水により更に溶解して成る水溶液を利用して、既述の多孔質フィルタを有する空気清浄機という用途発明品を実現することも可能である。
【００７８】
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００７９】
この発明は、極めて高い抗菌性・消臭性の性能を有する原液を水で希釈化してなる白金ナノ粒子水溶液を適用した用途商品（用途発明品）に於いて用いられる「多孔質フィルタ」に対して好適な発明である。
【符号の説明】
【００８０】
ＯＰＬ  白金ナノ粒子水溶液の原液
ＨＬ    精製水等の水
ＰＳＬ  ｘ倍に希釈化された白金ナノ粒子水溶液
１      空気清浄機
２      吸入ファン
３      多孔質フィルタ
３ＰＨ  ジグザグ形状の貫通孔
【図１】
2014023814.tif 000014
【図２】
2014023814.tif 000015
【図３】
2014023814.tif 000016